(57)【要約】【課題】  むだ毛の抜き残しや抜痛を減少させて、広範囲の脱毛処理を効率的におこなうことができる脱毛装置を提供する。【解決手段】  少なくとも高周波発信回路１２を備える装置本体１０と、所要広さのシート材１７の表面に導電層１８ａと粘着剤層１８ｂとが積層された粘着シート１４とからなる脱毛装置であって、前記装置本体１０は、前記高周発信回路１２で出力された高周波電流を送出するリード線１３を備え、前記粘着シート１４は、前記リード線１３が着脱できる電極１６を備えると共に、該電極１６と前記導電層１８ａとが接触している構成である。なお、導電層１８ａは、金属粉又はカーボンを含有することが望ましい。【選択図】      図１
2005177132.tif 000002
【特許請求の範囲】
【請求項１】
少なくとも高周波発信回路を備える装置本体と、所要広さのシート材の表面に導電層と粘着剤層とが積層された粘着シートとからなる脱毛装置であって、
前記装置本体は、前記高周発信回路で出力された高周波電流を送出するリード線を備え、
前記粘着シートは、前記リード線が着脱できる電極を備えると共に、該電極と前記導電層とが接触していることを特徴とする脱毛装置。
【請求項２】
前記導電層は、金属粉又はカーボンを含有することを特徴とする請求項１に記載の脱毛装置。
【請求項３】
前記粘着剤層には、コラーゲンが配合されていることを特徴とする請求項１に記載の脱毛装置。
【請求項４】
請求項１乃至３に記載の脱毛装置を用いてむだ毛を脱毛する脱毛方法であって、
施術部位に粘着した前記粘着シートに、前記高周波発信回路で出力した高周波電流を印加し、
所定時間経過後に、前記粘着シートをむだ毛と共に引き剥がすことを特徴とする脱毛方法。
【発明の詳細な説明】
【技術分野】
【０００１】
本発明は、美容等を目的として、身体のむだ毛を抜くために用いられる脱毛装置及び脱毛方法に関するものである。
【背景技術】
【０００２】
従来、腕、脇の下、脚等の身体のむだ毛を抜く方法としては、強力な粘着力のある粘着シートを肌に貼った後に、この粘着シートをむだ毛と共に一気に剥ぎ取る方法が知られている。しかしながら、この脱毛方法は、皮膚の表層を構成する角質層まで引き剥がすおそれがあり、肌のケアの観点から問題を有すると共に、脱毛時に痛みが伴うという欠点を有していた。
【０００３】
そこで、角質層は残してむだ毛のみを剥ぎ取る方法として、次のような脱毛用粘着シートが発案されている。この脱毛用粘着シートは、肌に貼ったときにむだ毛がつき抜けると共に粘着力の弱い皮膜層と、つき抜けたむだ毛を強い粘着力で粘着する脱毛剤層との２層で構成されている。
【０００４】
このような構成の脱毛用粘着シートは、角質層が粘着力の強い脱毛剤層に直接接触しないことから、引き剥がしたときに角質層は残してむだ毛だけを剥ぎ取ることができることとなる（特許文献１参照）。
【特許文献１】特許第３３３０８６７号公報（第１頁及び第２頁、図１）。
【発明の開示】
【発明が解決しようとする課題】
【０００５】
この従来例の脱毛用粘着シートにおいては、結局のところ、正常な毛根組織から生えるむだ毛を強制的に引き抜くのであるから、剥ぎ取るときに相当な痛みを伴うと共に、むだ毛を抜き残す場合があるという問題点を有している。
【０００６】
従って、従来例における脱毛用粘着シートにおいては、むだ毛を剥ぎ取るときの痛みを軽減すると共に、むだ毛の抜き残しを減少させて効率的な脱毛処理を図ることに解決しなければならない課題を有している。
【課題を解決するための手段】
【０００７】
前記従来例の課題を解決する具体的手段として本発明は、少なくとも高周波発信回路を備える装置本体と、所要広さのシート材の表面に導電層と粘着剤層とが積層された粘着シートとからなる脱毛装置であって、前記装置本体は、前記高周発信回路で出力された高周波電流を送出するリード線を備え、前記粘着シートは、前記リード線が着脱できる電極を備えると共に、該電極と前記導電層とが接触していることを特徴とする脱毛装置を提供するものである。
【０００８】
そして、前記導電層は、金属粉又はカーボンを含有する構成としたものであり、更に、前記粘着剤層には、コラーゲンが配合されている構成としたものである。
【０００９】
また、本発明は、請求項１乃至３に記載の脱毛装置を用いてむだ毛を脱毛する脱毛方法であって、施術部位に粘着した前記粘着シートに、前記高周波発信回路で出力した高周波電流を印加し、所定時間経過後に、前記粘着シートをむだ毛と共に引き剥がすことを特徴とする脱毛方法を提供するものである。
【発明の効果】
【００１０】
本発明に係る脱毛装置は、少なくとも高周波発信回路を備える装置本体と、所要広さのシート材の表面に導電層と粘着剤層とが積層された粘着シートとからなる脱毛装置であって、前記装置本体は、前記高周発信回路で出力された高周波電流を送出するリード線を備え、前記粘着シートは、前記リード線が着脱できる電極を備えると共に、該電極と前記導電層とが接触していることによって、施術部位に粘着した粘着シートを介して高周波電流が毛根組織に伝播し、この高周波電流が毛根組織の内部において熱エネルギーに変換されて発熱して毛根組織を破壊する。その後に、粘着シートをむだ毛と共に引き剥がすことにより、広範囲の脱毛処理を効率的におこなうことができる。
そして、むだ毛を抜く時には、毛根が破壊されていることから、剥ぎ取るときの痛みが軽減され、むだ毛の抜き残しがほとんど無い。
更には、粘着剤層の上部に導電層が形成されていることから、粘着剤層の全体に渡って高周波電流が流れて、毛根組織に効率的に伝播するという種々の優れた効果を奏する。
【００１１】
そして、導電層は、金属粉又はカーボンを含有することによって、導電性が良好となり、高周波電流が効率的に毛根組織に伝播して、毛根組織を破壊することとなるという優れた効果を奏する。
【００１２】
更に、粘着剤層には、コラーゲンが配合されていることによって、コラーゲンは、細胞機能の活性化、及び免疫力を高める働きをすることから、脱毛処理と同時に肌の若返りに有効であるという優れた効果を奏する。
【００１３】
また、本発明に係る脱毛方法は、請求項１乃至３に記載の脱毛装置を用いてむだ毛を脱毛する脱毛方法であって、施術部位に粘着した前記粘着シートに、前記高周波発信回路で出力した高周波電流を印加し、所定時間経過後に、前記粘着シートをむだ毛と共に引き剥がすことによって、施術部位に粘着した粘着シートを介して高周波電流が毛根組織に伝播し、この高周波電流が毛根組織の内部において熱エネルギーに変換されて発熱して毛根組織を破壊する。その後に、粘着シートをむだ毛と共に引き剥がすことにより、広範囲の脱毛処理を効率的におこなうことができるという優れた効果を奏する。
【発明を実施するための最良の形態】
【００１４】
広範囲の脱毛処理を抜痛が小さく且つ効率的に行うという目的を、高周波電流を施術部位に伝播できる粘着シートを用いることにより実現した。即ち、粘着シートを介して高周波電流を毛根組織に伝播させて、広範囲の毛根組織を一度に破壊し、所定時間経過後に粘着シートをむだ毛と共に引き剥がすのである。
【実施例１】
【００１５】
次に、本発明の実施の形態について図面を参照しながら説明する。まず、図１は、本発明に係る脱毛装置のブロック図であり、図中符号１０は装置本体、１１は電源回路、１２は高周波発信回路、１３はリード線、１４は粘着シートを示す。
【００１６】
電源回路１１は、必要な電源を安定して供給するための回路であって、図示しない商用電源に接続されるように構成されていると共に、高周波発信回路１２に接続している。高周波発信回路１２は、高周波電流を発信して供給するための回路であって、この高周波発信回路１２にリード線１３が接続している。そして、このリード線１３は、粘着シート１４に着脱自在に接続できる構成になっている。従って、図示しない出力スイッチをオン状態にすると、高周波発信回路１２から出力される高周波電流が、リード線１３を流れて粘着シート１４に印加されるのである。
【００１７】
なお、装置本体１０は、所要のケースで形成されており、電源回路１１及び高周波発信回路１２は、装置本体１０の内部に収納されている。そして、装置本体１０の所定位置に出力スイッチ（図示せず）が設けられている。
【００１８】
リード線１３の一端部は、図２及び図３に示すように、ホック状の嵌合部材１５が設けられており、この嵌合部材１５の下部には、凹部１５ａが形成されている。そして、嵌合部材１５を、後述する粘着シート１４の電極１６に着脱自在に接続できる構成になっている。
【００１９】
粘着シート１４は、脱毛する身体の部位に応じて種々な大きさ及び形状に形成されるものであるが、その形状の一例を図示すれば、図２に示すように長方形状に形成される。
また、粘着シート１４は、図３に示すように、合成樹脂製のシート材１７と、このシート材１７の表面に積層された導電層１８ａ及び粘着剤層１８ｂと、この粘着剤層１８ｂの表面に貼付される剥離紙１９とから構成されており、その端部には、電極１６が設けられている。
【００２０】
導電層１８ａは、導電性の良好な材料、例えば銀粉、金粉、銅粉等の金属粉又はカーボン等に適宜の樹脂剤を混合した導電剤で形成されており、これをシート材１７の表面にコーティング又は印刷等の所定の手段で所要厚さに付着させている。また、この導電層１８ａの下部には、所要厚さの粘着剤層１８ｂを形成させている。
【００２１】
粘着剤層１８ｂを構成する粘着剤は、導電性が比較的良好な従来周知の成分の粘着剤を用いている。粘着剤の成分の一例としては、ポリアクリル酸樹脂を主成分とするアクリル系のものや、ビニルエチレンエーテルを主成分とするビニルエーテル系のものや、ポリアクリル酸ブチルを主成分とするアクリル系のものや、その他シリコーン系のもの等、種々な成分のものでよい。要するに、身体のむだ毛をしっかりと粘着できる成分の粘着剤であればよいのである。
【００２２】
また、粘着剤層１８ｂの前記成分中に所要量のコラーゲンを配合してもよい。この場合は、コラーゲンは細胞機能の活性化、及び免疫力を高める働きをすることから、粘着シート１４を粘着させた部位の肌の活性化、即ち、肌の若返りに有効である。
【００２３】
電極１６は、図３に示すように、やや膨出した嵌合凸部１６ａと、上部鍔部１６ｂと、下部鍔部１６ｃとが一体に形成されている。嵌合凸部１６ａには、前記嵌合部材１５の凹部１５ａを取り外し自在に接続できる。また、上部鍔部１６ｂと下部鍔部１６ｃとの間にシート材１７を挟持しており、更に、下部鍔部１６ｃは導電層１８ａと接触している構成になっている。
【００２４】
次に、上述のように構成される脱毛装置を用いた脱毛方法について説明する。まず、粘着シート１４の剥離紙１９を剥がして、身体の脱毛する部位に密着させた状態で粘着させる。この時、むだ毛は粘着剤層１８ｂにしっかりと粘着されることとなる。
【００２５】
そして、出力スイッチをオン状態にすると、高周波発信回路１２から高周波電流が出力され、リード線１３を流れて電極１６に送出されて、更に、下部鍔部１６ｃを介して導電層１８ａに伝わり、さらに粘着剤層１８ｂに伝わる。このとき、粘着剤層１８ｂの上部には導電層１８ａが存在することから、粘着剤層１８ｂの全体に渡って高周波電流が流れることとなる。
【００２６】
更に、粘着剤層１８ｂに印加された高周波電流は、毛根組織に伝播し、その内部において熱エネルギーに変換されて発熱して毛根組織を破壊することとなる。高周波電流は、一例をあげると、２７．１２０メガヘルツの出力で、５０〜６０ボルトの電流を流すことが望ましい。その状態で約３分から１０分程度経過後に、粘着シート１４をむだ毛と共に引き剥がす。この時、毛根は既に破壊されているので、粘着シート１４を剥ぎ取るときの痛みが小さく、むだ毛の抜き残しがほとんど無い。
【００２７】
なお、粘着シート１４は使い捨てなので、使用後はそのまま廃棄すればよく、後処理が簡単である。また、次に脱毛装置を使用するときには、新たな粘着シート１４をセットすればよく、常に清潔な状態で脱毛処理が行える。
【産業上の利用可能性】
【００２８】
本発明の脱毛装置及び脱毛方法は、腕、脇の下、脚、ビキニライン等、身体のむだ毛の気になる部位の脱毛処理をすることができる。
【図面の簡単な説明】
【００２９】
【図１】本発明に係る脱毛装置のブロック図である。
【図２】本発明に係る脱毛装置の、粘着シートの斜視図である。
【図３】本発明に係る脱毛装置の、粘着シートを拡大した断面図である。
【符号の説明】
【００３０】
１０  装置本体
１１  電源回路
１２  高周波発信回路
１３  リード線
１４  粘着シート
１５  嵌合部材
１５ａ凹部
１６  電極
１６ａ嵌合凸部
１６ｂ上部鍔部
１６ｃ下部鍔部
１７  シート材
１８ａ導電層
１８ｂ粘着剤層
１９  剥離紙
【図１】
2005177132.tif 000003
【図２】
2005177132.tif 000004
【図３】
2005177132.tif 000005